(57)【要約】本発明は体操等ならびに民間の分野といった両特定分野の利用が意図された胸郭、三角筋、菱形骨、および三頭筋の筋肉の体操鍛錬機器からなる。本機器は、機械的、油圧的、電気的あるいは空圧的指令（Ｃ）を利用して、練習姿勢の変更をすることなく汎用的な支持材（Ｆ）上にウェイトの用意が可能となる、ウェイト（バーおよびダンベル）の保持用に使用される補助アーム移動装置（自動制御装置）（Ｅ）が装備された融通のきく運動台（Ｈ）からなり、これにより運動選手が筋肉の過労による心理的ストレスは言うまでもなく、炎症および身体上の傷害を引き起こし得る労力を低減することができる。本発明には、運動中に意図せずとも機械部品と接触の可能性のある通行者の安全が保証される保護用の側面パネルが装備される。この側面パネルは宣伝題材向けの支持材としても利用可能である。【選択図】図１
2007518514.tif 000002
【特許請求の範囲】
【請求項１】
運動者が運動を行うに際し、ストレッチ及び胸十字架のため水平位置に、胸十字架のため傾斜位置に、そして、機械、水圧、電気又は空圧にてロッド、ペダル、スイッチ又は押しボタンにより起動を指令する、ウエイト（バー及びダンベル）を保持するために使用されるアーム（サーボ機構）の補助可動システムを備えた、三頭筋用ダンベルでの三角筋及びストレッチ用直立位置に、背もたれを配置することを可能にし、しばしば運動の終わりで運動者が疲れている場合、筋肉の緊張による精神的ストレスに言及するのではなく、炎症および個人的負傷を引き起こす限界努力の方法である、運動者が運動位置を変更せずにウエイトを取り上げそして使用することを可能にする、移動可能なベンチを有することを特徴とする、胸部、三角筋、大菱形骨及び三頭筋筋肉を鍛えるための体操トレーニング用装置。
【請求項２】
運動者の近くの所要位置に位置決め可能で、運動が正しく実行されることを可能にするアーム（サーボ機構）の補助可動システムを備えることを特徴とする、請求項１に記載の胸部、三角筋、大菱形骨及び三頭筋筋肉を鍛えるための体操トレーニング用装置。
【請求項３】
押しボタンから指令された空圧式エアー・コンプレッサーにより作動可能な可動アームを有することを特徴とする、請求項１に記載の胸部、三角筋、大菱形骨及び三頭筋筋肉を鍛えるための体操トレーニング用装置。
【請求項４】
ペダルから指令されたレバー及びプーリからなる機械システムにより作動可能な可動アームを有することを特徴とする、請求項１に記載の胸部、三角筋、大菱形骨及び三頭筋筋肉を鍛えるための体操トレーニング用装置。
【請求項５】
スイッチから指令された電気機械システムにより作動可能な可動アームを有することを特徴とする、請求項１に記載の胸部、三角筋、大菱形骨及び三頭筋筋肉を鍛えるための体操トレーニング用装置。
【請求項６】
ロッドから指令された電気水圧システムにより作動可能な可動アームを有することを特徴とする、請求項１に記載の胸部、三角筋、大菱形骨及び三頭筋筋肉を鍛えるための体操トレーニング用装置。
【請求項７】
装置（ダンベル、バー等）の位置決めのため、ユニバーサル・ブラケット・システムを備えた可動アームを備えることを特徴とする、請求項１に記載の胸部、三角筋、大菱形骨及び三頭筋筋肉を鍛えるための体操トレーニング用装置。
【請求項８】
実行される運動の種類により運動者により選択された色々な位置を記憶することができる、電子スイッチ盤をサーボ機構の指令に適用する可能性を有することを特徴とする、先行する請求項に記載の胸部、三角筋、大菱形骨及び三頭筋筋肉を鍛えるための体操トレーニング用装置。
【請求項９】
指令を起動する装置の支え及び収納を保証し、そして運動の進行中、足の支えを確実にするような寸法の調整可能な足置きを備えることを特徴とする、先行する請求項に記載の胸部、三角筋、大菱形骨及び三頭筋筋肉を鍛えるための体操トレーニング用装置。
【請求項１０】
動作中の機械又は空圧部分と意図せずに接触する通行人の安全を保証する防護用側面パネルを有することを特徴とする、先行する請求項に記載の胸部、三角筋、大菱形骨及び三頭筋筋肉を鍛えるための体操トレーニング用装置。
【請求項１１】
広告材料の支えとして使用できる、動作中の機械部分の保護用側面パネルを有することを特徴とする、先行する請求項に記載の胸部、三角筋、大菱形骨及び三頭筋筋肉を鍛えるための体操トレーニング用装置。
【請求項１２】
運動の開始時に実際、装置を手渡す伸縮自在なアームの動きのおかげで運動の前、最中及び後に、運動者は理想的な位置に留まることができ。そして運動の終わりに同じ位置に装置を置くことができるように、運動者をより心地良くすることが可能なことを特徴とする、先行する請求項に記載の胸部、三角筋、大菱形骨及び三頭筋筋肉を鍛えるための体操トレーニング用装置。
【請求項１３】
重いウエイトを使用する場合でも第二の人の助けがなしに、運動することができることを特徴とする、先行する請求項に記載の胸部、三角筋、大菱形骨及び三頭筋筋肉を鍛えるための体操トレーニング用装置。
【請求項１４】
装置の手動移動がより少ないことのおかげで、運動中積極的及び消極的の両面でより安全を保証することを特徴とする、先行する請求項に記載の胸部、三角筋、大菱形骨及び三頭筋筋肉を鍛えるための体操トレーニング用装置。
【発明の詳細な説明】
【技術分野】
【０００１】
本発明の対象は胸郭、三角筋、菱形骨および三頭筋筋肉のボディビルディング分野の鍛錬用の利用である。
【背景技術】
【０００２】
現在では、胸郭、三角筋、菱形骨および三頭筋の筋肉が鍛えられ得る様々な機械が存在するが、実際に、器具（ダンベル等）が動かされるこれらの装置では、いずれも初めに何らかの体力の行使無しには運動選手の練習に向けた自身の準備ができない。
【０００３】
既に市販されている機器はウェイトが載せられた固定ブラケット付きの移動可能な背もたれ付の運動台からなる。
【０００４】
もしくは、運動台がレバーを利用して使用される機器があり、これが様々なやり方で練習用に必要なウェイトに関係づけられる。
【０００５】
このような市販の機械には、既に運動台に座っている運動選手に実際に器具が手渡される装置は存在しない
【０００６】
実際に、練習の開始前に、運動選手（既に坐っている）はウェイトを持ち上げると同時に、練習の終わりにもまた、同じ位置でこれらを下ろさなくてはならない。
【０００７】
特許EP-1-029-562-A1の請求項に示される既に市販されている機器の多くの部品のあるものは、実際、上述のような不都合な点を呈する。
【発明の開示】
【０００８】
この新しい機器部品により現在市販されている機器にある困難と不都合な点が解消される。特に、運動選手が練習の前後の両方に運動につぎ込む労力を減らし、時間と労力、つまり筋肉過労の危険を減らす。
【０００９】
実際、水平、鉛直あるいは傾斜した運動台で行われるダンベルやバーを利用した練習中に、運動選手はウェイトを取ったり、戻したりする課題に直面する。ウェイトが重くなるにつれて、肉体的かつ心理的な疲れもまた考慮されなくてはならず、従って、腰椎や腕および首の関節に関連した多くの怪我が発生している。それ故、本発明は、運動選手がその足を利用して機械の作動制御ができることを念頭において、完璧に安全なウェイトの使用が可能になる手助けが添えられるために考えられた。
【００１０】
この機器の主な特徴は、ロッド、ペダル、スイッチボタンを通じて作動可能な機械的、油圧的、電気的あるいは空圧的な指令を使って、運動選手が疲れた場合の練習の終わりに筋肉過労による心理的なストレスは言うまでもなく、炎症や身体上の怪我をしばしば引き起こし得る労力を低減するやり方である「練習姿勢の変更」をしないでも、ウェイトを取上げるとともに使用することを可能にする、ウェイト（バーおよびダンベル）を載せるために利用される補助アーム移動装置（自動制御装置）が装備された、ストレッチングおよび胸筋部練習向けには水平姿勢の運動台の、三角筋向けの首上部のストレッチングならびに三頭筋向けのダンベルを利用したストレッチング向けには直立の運動台の、背もたれを使用して練習を行うことを可能にする運動台から構成されるという点によって代表される。
【００１１】
もうひとつの特徴は、両方の場合とも、レバーおよびベルト車あるいはその他の電動機械あるいは電動油圧装置の空圧装置あるいは機械装置を利用して、足置きに位置する指令を作動させる装置により自動制御装置を動かすことが可能である点である。
【００１２】
もうひとつの特徴は、調整可能な足置きが指令を作動させる装置の支持並びに固定を保証するとともに、練習の展開中に足の支えを確保する大きさのものである点である。
【００１３】
もうひとつの特徴は、運動中に意図せずに機械の部分に接触してしまう可能性のある運動選手ならびに通行人の安全が保証される機構の保護になる場所の側面パネルである
【００１４】
その他の特徴は機構の保護になる場所の側面パネルのものであり、広告用の支持材として利用可能である。もうひとつの特徴は行われる練習のタイプに応じて運動選手によって選択される様々な姿勢の記憶可能な自動制御装置の指令に電気スイッチ盤の利用の可能性がある点である。
【００１５】
操作装置のひとつを押すことによって、運動選手（ユーザー）は自身を胸郭の高さに位置に定めるよう自動制御装置に指令する。
【００１６】
その後に、運動選手はウェイトを掴むことができると同時に、解除装置が作動して練習中に干渉しないようにアームが元の位置に戻る。
【００１７】
以降、本発明の主な利点を述べる。
【００１８】
１．運動選手は練習の前後の両方に器具（ウェイト）の位置を決めるといった不自然な動作を行う必要が無く、練習中の「より良い快適さの保証」が得られる。
【００１９】
２．ウェイトが動かされなくてはならないのは一連の練習の最初だけになるので、怪我の機会が減り、「運動選手の身体上の安全性の改善」が得られる。
【００２０】
３．筋肉がしばしば炎症あるいは腫れを引き起こす不自然なやり方でストレッチされる事になる水平姿勢の位置では、しばしば練習の開始と終了の両方ともに、床からダンベルを上げたり下ろしたりしなくてはならないので、「運動選手の身体上の安全性の改善」が得られる。
【００２１】
４．「器具を楽しむ」ことが可能となる。実際、提案された装置についてはウェイトの上げ下ろしする運動選手にとって第２者の手助けの必要はない。
【００２２】
５．なかでも練習の最後の部分でしばしば過度な労力によって引き起こされる「血圧問題の回避」ができる。
【００２３】
６．次の練習に活用可能な「身体エネルギーの浪費の回避」ができる。
【００２４】
７．運動選手が練習全体に関して同一姿勢にとどまることを可能にする足部の指令により「伸縮自在アームの容易な動作」が可能となる。
【００２５】
記憶に留めるべきその他の大変重要な点は、ウェイトをのせる汎用的なブラケットのおかげで、伸縮自在アーム上で任意タイプのダンベルあるいはウェイトの位置決めが可能であることである。
【００２６】
これまでに述べた利点は含まれる図ではっきりと理解できる。
【００２７】
この機器は特許の変更無しに変更され得る。本発明には既に市販されているその他の機器が持たない多くの利点を有する。
【図面の簡単な説明】
【００２８】
【図１】構造部（Ａ）、移動可能な運動台（Ｈ）、指令装置（Ｃ）を有するとともに練習中に足を載せる足置き台（Ｂ）、安全パネル（Ｉ）およびその他の安全部品を特徴とする発明の全体図を示す。
【図２】移動アームを動かす指令装置が置かれる足置き台（Ｂ）の拡大図を示す。
【図３】移動アームを作動させるのに必要なエアータンクの場所を示す。
【図４】移動アームおよびウェイトを支える留め金（Ｇ）を示す。
【図５】ウェイト（Ｆ）が載せられるブラケットを示す。
【図１】
2007518514.tif 000003
【図２】
2007518514.tif 000004
【図３】
2007518514.tif 000005
【図４】
2007518514.tif 000006
【図５】
2007518514.tif 000007
【手続補正書】
【提出日】平成17年7月7日(2005.7.7)
【手続補正１】
【補正対象書類名】特許請求の範囲
【補正対象項目名】全文
【補正方法】変更
【補正の内容】
【特許請求の範囲】
【請求項１】
器具（ダンベル、バー等）向けに汎用ブラケット装置が装備された移動アーム装置があること、練習の始まりから同じ練習の引き上げまで利用者の姿勢の変更無しに、ロッド、ペダル、スイッチあるいは押しボタンを通じて利用者によって作動可能である機械式、油圧式、電動式あるいは空圧式の指令を利用した機器の位置決めを可能にする補助水平移動装置（自動制御装置）および鉛直方向調節装置を有すること、運動選手が疲労している練習終了後においても、筋肉の過労による心理的なストレスを軽減することは言うまでもなく、炎症および身体の怪我をしばしば引き起こし得る労力が低減されることを特徴とする移動可能な運動台が設けられた胸郭、三角筋、菱形骨および三頭筋の筋肉鍛錬用体操練習機器
【請求項２】
移動アーム装置が装備されていること、練習の始まりおよび同じ練習の引き上げの終わりまで利用者の姿勢変更無しに器具（ダンベル、バー等）の位置決めを可能にする補助水平移動装置（自動制御装置）および鉛直方向調節装置を有することを特徴とする請求項１に請求される移動可能な運動台が設けられた胸郭、三角筋、菱形骨および三頭筋の筋肉鍛錬用体操練習機器
【請求項３】
器具（ダンベル、バー等）が置かれる汎用ブラケット装置が装備されたアーム移動装置を有することを特徴とする請求項１に請求される移動可能な運動台が設けられた胸郭、三角筋、菱形骨および三頭筋の筋肉鍛錬用体操練習機器
【請求項４】
移動アーム装置が装備されていること、押しボタンから指令される圧縮空気装置を通じて作動可能である補助水平移動装置（自動制御装置）および鉛直方向調節装置を有することを特徴とする請求項１に請求される移動可能な運動台が設けられた胸郭、三角筋、菱形骨および三頭筋の筋肉鍛錬用体操練習機器
【請求項５】
アーム移動装置が装備されていること、機械式レバー装置およびペダルから指令されるベルト車を通じて作動可能である補助水平移動装置（自動制御装置）および鉛直方向調節装置を有することを特徴とする請求項１に請求される移動可能な運動台が設けられた胸郭、三角筋、菱形骨および三頭筋の筋肉鍛錬用体操練習機器
【請求項６】
スイッチから指令される電動機械式装置を通じて作動可能である補助水平移動装置（自動制御装置）および鉛直方向調節装置を有すること特徴とする請求項１に請求される移動可能な運動台が設けられた胸郭、三角筋、菱形骨および三頭筋の筋肉鍛錬用体操練習機器
【請求項７】
ロッドから指令される電動式油圧装置を通じて作動可能である補助水平移動装置（自動制御装置）および鉛直方向調節装置を有すること特徴とする請求項１に請求される移動可能な運動台が設けられた胸郭、三角筋、菱形骨および三頭筋の筋肉鍛錬用体操練習機器
【請求項８】
運動選手が疲労している練習終了後に、筋肉の過労による心理的ストレスは言うに及ばす炎症や身体上の怪我をしばしば引き起こし得る労力を軽減して、練習の前、練習中および練習後を通じて運動選手に理想的な姿勢の維持が可能でより良い快適さを可能にすることを特徴とする請求項１から請求項７に請求される移動可能な運動台が設けられた胸郭、三角筋、菱形骨および三頭筋の筋肉鍛錬用体操練習機器
【請求項９】
行われる練習のタイプに応じて運動選手によって選択される様々な位置が記憶可能である自動制御装置の指令に対して電気スイッチ盤の適用が可能であることを特徴とする請求項１から請求項８に請求される移動可能な運動台が設けられた胸郭、三角筋、菱形骨および三頭筋の筋肉鍛錬用体操練習機器
【請求項１０】
指令を作動させる装置の支持ならびに固定が保証されると同時に練習の展開中に足の支えも確保されるよう、寸法の調節可能な足置き台が装備されていることを特徴とする請求項１から請求項９に請求される移動可能な運動台が設けられた胸郭、三角筋、菱形骨および三頭筋の筋肉鍛錬用体操練習機器
【請求項１１】
意図せずして作動中の機械あるいは空圧部品と接触するようになる可能性のある通行人の安全を保証するための保護用側面パネルがあることを特徴とする請求項１から請求項１０に請求される移動可能な運動台が設けられた胸郭、三角筋、菱形骨および三頭筋の筋肉鍛錬用体操練習機器
【請求項１２】
広告題材向けの支持材として使用可能である作動中の機械部品の保護用の側面パネルがあることを特徴とする請求項１から請求項１１に請求される移動可能な運動台が設けられた胸郭、三角筋、菱形骨および三頭筋の筋肉鍛錬用体操練習機器
【請求項１３】
第二者の手助け無しで行われる重いウェイトを使用した練習も可能となることを特徴とする請求項１から請求項１２に請求される移動可能な運動台が設けられた胸郭、三角筋、菱形骨および三頭筋の筋肉鍛錬用体操練習機器
【請求項１４】
機器の手動動作がより少ないおかげで練習中に積極的にも受身的にもより多くの安全が保証されることを特徴とする請求項１から請求項１３に請求される移動可能な運動台が設けられた胸郭、三角筋、菱形骨および三頭筋の筋肉鍛錬用体操練習機器
【国際調査報告】
2007518514.tif 000008
2007518514.tif 000009
2007518514.tif 000010